(57)【要約】【課題】患者の側方に検出器面を種々の距離で位置決め可能な検出器を備え、患者への接近性を改善するように大きな検出器の使用可能性を拡張するＸ線装置を提供する。【解決手段】検査範囲にＸ線を絞り込む可調整絞り（８）と、患者近くの部分面および患者から遠い残りの面を有し、絞り込まれたＸ線が入射する検出器（６）とを備え、検出器（６）が患者近くの部分面のみを読取るように非対称に駆動可能であり、絞り（８）が非対称に移動可能である。【選択図】図２
2005211663.tif 000002
【特許請求の範囲】
【請求項１】
検査範囲にＸ線を絞り込む可調整絞り（８）と、患者近くの部分面および患者から遠い残りの面を有し、絞り込まれたＸ線が入射する検出器（６）とを備え、検出器（６）が患者近くの部分面のみを読取るように非対称に駆動可能であり、絞り（８）が非対称に移動可能であることを特徴とするＸ線装置。
【請求項２】
検出器（６）は、部分面として検出器面の半分または四分の１だけが読取可能であるように駆動可能であることを特徴とする請求項１記載のＸ線装置。
【請求項３】
検出器（６）が複数のアモルファスシリコン板から構成され、個別アモルファスシリコン板の面が読取可能であることを特徴とする請求項２記載のＸ線装置。
【請求項４】
絞り（８）は複数の個別に移動可能な絞り要素（９，１０）を有することを特徴とする請求項１乃至３の１つに記載のＸ線装置。
【請求項５】
絞り（８）は対向する２対の絞り要素を有することを特徴とする請求項４記載のＸ線装置。
【請求項６】
検出器（６）および読取可能な画像範囲（１１）は検査時に同時に移動可能であることを特徴とする請求項１乃至５の１つに記載のＸ線装置。
【請求項７】
検出器（６）の画像範囲（１１）はズーム機能によりモニタに表示可能であることを特徴とする請求項１乃至６の１つに記載のＸ線装置。
【発明の詳細な説明】
【技術分野】
【０００１】
本発明は、検出器と、検査範囲にＸ線を絞り込む可調整絞りとを備えたＸ線装置、特にＣアーム支持システムを備えたＸ線装置に関する。
【背景技術】
【０００２】
現代のディジタルＸ線システムにおいて、検出器の大きさは、主に実施する検査が考慮されて選択される。この理由から心臓病への適用、Ｘ線透視あるいは血管への適用のために大きさの異なる種々の検出器が存在する。検出器の大きさ選択のための重要な基準はＸ線装置のＣアーム支持システムの傾斜状態での患者への接近容易性である。定められた検査を異なる大きさの検出器により行なうことはできない。なぜならばこの場合に患者への十分な接近が達せられないことがあるからである。検出器の大きさはそれぞれ特定の処置に適しているので、製造者は実際に発生するあらゆる種類の検査をカバーしようとすると、種々の大きさの検出器を開発して提供しなければならない。この製品多様性は、その都度適合する検出器を選択することによって全ての要求に対応することを可能にするが、もちろん高コストももたらす。
【発明の開示】
【発明が解決しようとする課題】
【０００３】
従って、本発明の課題は、患者の側方に検出器面を種々の距離で位置決め可能な検出器を備え、患者への接近性を改善するように大きな検出器の使用可能性を拡張するＸ線装置を提供することにある。この課題は特にＣアーム支持システムを備えたＸ線装置において発生する。
【課題を解決するための手段】
【０００４】
この課題は、本発明によれば、検査範囲にＸ線を絞り込む可調整絞りと、患者近くの部分面および患者から遠い残りの面を有し、絞り込まれたＸ線が入射する検出器とを備え、検出器が患者近くの部分面のみを読取るように非対称に駆動可能であり、絞りが非対称に移動可能であることによって解決される。有利な実施態様は従属請求項の対象である。
【０００５】
本発明によるＸ線装置は、検出器面のうちの患者近くの部分面だけにＸ線を当てられ、患者近くの部分面だけが読取られるように、絞りを調整して検出器を駆動することを可能にする。部分面の読取りによって一般に読取プロセスを高速で行なうことができ、それにより計算時間が節減され、高い画像周波数で検査を行なうことができる利点がもたらされるともに、本発明により得られる患者への部分面の接近によって、従来公知のＸ線装置の使用時には検査のためには大きすぎた同じ検出器を今やその検査のために使用することができる利点が特別にもたらされる。
【０００６】
欧州特許出願公開第０９０８７４３号明細書から非対称に構成されたＸ線検出器も公知であるが、しかしながら、このＸ線検出器は電気的に非対称に駆動されるのではなくて、検査すべき身体範囲に解剖学的構造を合せられた構造的な縁辺形状に関して非対称であるにすぎない。
【０００７】
西独特許第６９７２３０８１号明細書には非対称に読取可能な検出器および相応に非対称に調整可能な絞りが開示されているが、しかしながら、ＣＴ装置の構造に基づいて、患者への不十分な接近の問題が全く発生しないＣＴ装置へ専ら適用するものである。西独特許第６９７２３０８１号明細書に記載されている発明は、むしろ、信号／雑音比、再構成時間、アキシャル方向における分解能および部分ボリュームアーチファクトの発生をフレキシブルに制御できることを意図したものである。
【０００８】
本発明の構成によれば、検出器は、検出器面の半分または四分の１が読取られるように駆動することができる。従来技術において知られているＸ線装置において、心臓医学では例えば１８×１８ｃｍのサイズの検出器が使用され、血管撮影法については例えば３０×４０ｃｍのサイズの検出器が使用された。この大きいほうの検出器は心臓医学には使用できなかった。なぜならば、Ｘ線が入射する読取範囲が検出器に対称的に配置され、このように避け得ず測定データ読取に利用できない縁範囲により、読取範囲を検査すべき範囲に十分に近づけることができなかったからである。しかしながら、本発明によれば、検出器のＸ線照射され読取られる部分範囲は自由に選択可能であり、従って、検出器が患者に接近するか又は患者に衝突したときに、検出器面の部分範囲をずらすことが容易に可能である。従って、もともとは血管撮影用に意図された検出器を、患者近くにある部分範囲のＸ線照射および読取によって、例えば心臓医学の検査にも使用することができるように作動させることが容易に可能である。
【０００９】
他の利点は検出器が複数のアモルファスシリコン板から構成される場合にもたらされる。その都度１つの個別アモルファスシリコン板が完全に読取られるので、接する縁辺範囲における画像修正のために必要である修正ソフトウェアが全く必要でなくなる。
【００１０】
本発明によるＸ線装置は非対称に駆動可能な検出器のほかに非対称に移動可能な絞りも特徴とする。公知のＸ線装置の場合と違って絞りが非対称に移動可能であるので、絞りおよび検出器を協調制御することができる。例えば部分面が読取られるように検出器が駆動されると、絞り込まれた検査範囲が検出器面のこの部分範囲に一致するように絞りが移動される。絞りのこの構成はまず第１に不必要なＸ線負担から患者を守る保護に役立つ。
【００１１】
非対称の移動が可能である特に確実で信頼性のある絞りは、複数の個別に移動可能な絞り要素によって構成される。各絞り要素は少なくとも１つの軸線に沿って制御可能であるとよい。本発明によるＸ線装置の絞りは対向する２対の絞り要素を有すると特に好ましい。本発明のこの構成の場合、検査範囲は４つの側（左右上下）から任意に区切られるので、検査範囲の大きさおよび位置に関して実質上制限が生じない。
【００１２】
本発明によるＸ線装置の他の利点は、検出器の画像範囲がズーム機能によりモニタ上に表示可能であることにある。
【００１３】
医師によって選択可能な非対称の画像範囲に対して、ディジタルズームの十分な機能性が与えられているので、診断はリアルタイムで示されたモニタ画像に基づいて十分に容易化される。
【００１４】
絞り、とりわけ多重絞り（多分割絞りとも呼ばれる）をＸ線管に関して対称に調整し、検出器だけを移動させることも可能である。この場合に非対称の検出範囲を選ぶことができ、Ｘ線管の同心は同時に維持される。所望の範囲の選択は特に簡単であり、モニタにおける可視化は特に一目で分かる
【発明を実施するための最良の形態】
【００１５】
図面を参照しながら実施例に基づいて本発明の他の利点および詳細を説明する。
図１は検出器および可調整絞りを有する従来のＸ線装置を示す概略図、
図２は本発明によるＸ線装置の主要部を示す概略図、
図３ａおよび３ｂは画像範囲が検査進行中に移動される検出器の説明図、
図４ａおよび４ｂは絞りが検査進行中に移動される検出器の説明図である。
【００１６】
図１は検出器２および可調整絞り３を有する従来のＸ線装置１を示す。絞り３は、Ｘ線管４と患者５との間にあり、絞り３の対称調整によって検査範囲を正確に絞り込むことを可能にする。
【００１７】
図１から明らかのように、定められた検査、例えば心臓血管撮影の際に検出器２はその大きさゆえに患者に十分に近づけることができず、このために実際に種々の大きさの検出器が使用される。絞り３は検出器中心点に関して対称に移動されるので、検査範囲の側方の境界はそれぞれ検出器中心点から等しい距離にある。
【００１８】
図２は本発明の実施例を示すが、本発明にとって重要でないＸ線装置構成部分は示されていない。検出器６は非対称に駆動可能でありかつ読取可能である。検出器の部分範囲だけを読取ることができるので、計算速度はそれ相応に高まり、同時に、より高い画像周波数が可能になる。一般的には検出器は行ごとに読取られるが、それに反して検出器６はより大きなフレキシビリティを有する。というのは、この検出器６は任意の部分範囲の読取が可能であるからである。Ｘ線管７の近くには、一対の対向する絞り要素９，１０からなる絞り８が存在する。全体として、対をなして対向する４つの絞り要素が存在する。絞り要素の両対は平行な平面にあるので、接触することなしに互いに独立に調整できる。図の見やすさの理由から、図２では、絞り要素９，１０に対して９０°回転されて配置されている第２の対の絞り要素は図示を省略されている。
【００１９】
絞り要素９，１０は鉛板として形成されているが、しかし剛体の鉛板の代わりに、可撓性材料、例えば場所的理由から円筒形に巻かれた鉛薄片を使用することもできる。各絞り要素９，１０は個別に駆動可能および移動可能であるので、検査範囲の４つの境界線は実質的に自由に選択および調整が可能である。
【００２０】
図２に示された位置では、絞り要素９，１０は、Ｘ線管７から出射したビームが検出器６の半分にしか入射しないように非対称に調整されている。このような調整は、実施すべき検査にとって小さな画像範囲で十分である場合に適用される。
【００２１】
絞り要素９，１０および図示されていない第２の対の絞り要素の調整は、検出器６の面の任意の範囲が画像範囲として用いられるように行なわれる。画像範囲は検出器６の縁辺と一致する必要はない。
【００２２】
図３ａおよび３ｂは画像範囲が検査進行中に移動される検出器を示す。
【００２３】
図３ａでは、画像範囲１１が検出器６の左下隅にある。この適用は、検出器がアモルファスシリコンからなる多数の個別板から構成されている場合には合理的である。なぜならば、この場合には、縁移行部のための修正を必要としないからである。
【００２４】
検出器６は、画像範囲１１が図３ｂに示されている如くずらされるように、絞り８を変化させない状態で絞り８と関係なく移動される。もちろん、検出器６の中央にある画像範囲により検査を始め、検査中に画像範囲を縁部または隅部へずらすこともできる。
【００２５】
図４ａおよび４ｂは、絞りの調整が検査進行中に変化された場合の検出器を示す。
【００２６】
図４ａに示された検出器６において、絞り８は、画像範囲が検出器６の中央にあり、左右が絞り要素９，１０によって区切られるように調整されている。
【００２７】
検査の更なる経過において絞り要素９，１０が移動されることによって、画像範囲１１が図４ｂに示されている位置へ移動される。絞り要素９，１０は同じ大きさだけ移動される必要がなく、両絞り要素９，１０の移動は互いに独立に行なうことができる。
【図面の簡単な説明】
【００２８】
【図１】検出器および可調整絞りを有する従来のＸ線装置を示す概略図
【図２】本発明によるＸ線装置の主要部を示す概略図
【図３】画像範囲が検査進行中に移動される検出器の説明図
【図４】絞りが検査進行中に移動される検出器の説明図
【符号の説明】
【００２９】
１        Ｘ線装置
２        検出器
３        絞り
４        Ｘ線管
５        患者
６        検出器
７        Ｘ線管
８        絞り
９        絞り要素
１０        絞り要素
１１        画像範囲
【図１】
2005211663.tif 000003
【図２】
2005211663.tif 000004
【図３】
2005211663.tif 000005
【図４】
2005211663.tif 000006